(57)【特許請求の範囲】
【請求項１】
タッチパネルを備える表示制御装置であって、
複数の第１オブジェクトを含む第１グループを生成するグループ生成部と、
前記タッチパネルに、前記複数の第１オブジェクトを表示する表示制御部と、
前記タッチパネルを介して、前記複数の第１オブジェクトのうち、隣接する２つの第１オブジェクトに対する第１操作を検出する第１操作検出部と
を備え、
前記第１操作検出部が前記第１操作を検出したことに応答して、前記グループ生成部は、前記２つの第１オブジェクトの間で、前記第１グループを第２グループと第３グループとに分割し、
前記表示制御部は、前記タッチパネルに、前記第２グループに含まれる前記第１オブジェクトに対応する第２オブジェクトと、前記第３グループに含まれる前記第１オブジェクトに対応する第３オブジェクトとを表示し、
前記表示制御部は、
前記タッチパネルに、複数の前記第２オブジェクトを第１方向に並べて表示すると共に、複数の前記第３オブジェクトを、前記第２オブジェクトに対して前記第１方向と交差する第２方向に離間した位置に前記第１方向に並べて表示し、
前記第２オブジェクトと前記第３オブジェクトとの各々を、前記第１方向にスクロール可能に表示し、
前記表示制御装置は、
前記第２オブジェクトを前記第１方向にスクロールする第２操作を検出する第２操作検出部と、
前記第２オブジェクトが第１条件を満たすか否かを判定する第１条件判定部と
を更に備え、
前記第１条件は、前記第１方向の後端の前記第２オブジェクトが前記タッチパネルの前記第１方向の後端位置に表示されることを示し、
前記第１条件判定部が前記第１条件を満たすと判定したときに前記第２操作検出部が前記第２操作を検出することに応答して、又は、前記第２オブジェクトが前記第１方向にスクロールされているときに前記第１条件判定部が前記第１条件を満たすと判定したことに応答して、前記表示制御部は、前記第３オブジェクトを前記第１方向にスクロールする、表示制御装置。
【請求項２】
タッチパネルを備える表示制御装置であって、
複数の第１オブジェクトを含む第１グループを生成するグループ生成部と、
前記タッチパネルに、前記複数の第１オブジェクトを表示する表示制御部と、
前記タッチパネルを介して、前記複数の第１オブジェクトのうち、隣接する２つの第１オブジェクトに対する第１操作を検出する第１操作検出部と
を備え、
前記第１操作検出部が前記第１操作を検出したことに応答して、前記グループ生成部は、前記２つの第１オブジェクトの間で、前記第１グループを第２グループと第３グループとに分割し、
前記表示制御部は、前記タッチパネルに、前記第２グループに含まれる前記第１オブジェクトに対応する第２オブジェクトと、前記第３グループに含まれる前記第１オブジェクトに対応する第３オブジェクトとを表示し、
前記表示制御部は、
前記タッチパネルに、複数の前記第２オブジェクトを第１方向に並べて表示すると共に、複数の前記第３オブジェクトを、前記第２オブジェクトに対して前記第１方向と交差する第２方向に離間した位置に前記第１方向に並べて表示し、
前記第２オブジェクトと前記第３オブジェクトとの各々を、前記第１方向にスクロール可能に表示し、
前記表示制御装置は、
前記第３オブジェクトを前記第１方向にスクロールする第３操作を検出する第３操作検出部と、
前記第３オブジェクトが第２条件を満たすか否かを判定する第２条件判定部を更に備え、
前記第２条件は、前記第１方向の後端の前記第３オブジェクトが、前記タッチパネルの前記第１方向の後端位置に表示されることを示し、
前記第２条件判定部が前記第２条件を満たすと判定したときに前記第３操作検出部が前記第３操作を検出することに応答して、又は、前記第３オブジェクトが前記第１方向にスクロールされているときに前記第２条件判定部が前記第２条件を満たすと判定したことに応答して、前記表示制御部は、前記第１方向の先端の前記第２オブジェクトを前記タッチパネルの前記第１方向の先端位置に表示する、表示制御装置。
【請求項３】
前記第２操作が第３条件を満たすか否かを判定する第３条件判定部を更に備え、
前記第３条件は、前記第２操作の開始時間の間隔が閾値以上であることを示し、
前記第３条件判定部が前記第３条件を満たすと判定したときに、前記表示制御部は、前記複数の第２オブジェクトをループさせて表示する、請求項１に記載の表示制御装置。
【請求項４】
タッチパネルを備える表示制御装置の表示制御方法であって、
複数の第１オブジェクトを含む第１グループを生成する工程と、
前記タッチパネルに、前記複数の第１オブジェクトを表示する工程と、
前記タッチパネルを介して、前記複数の第１オブジェクトのうち、隣接する２つの第１オブジェクトに対する第１所定操作を検出する工程と、
前記第１所定操作を検出したことに応答して、前記２つの第１オブジェクトの間で、前記第１グループを第２グループと第３グループとに分割する工程と、
前記タッチパネルに、前記第２グループに含まれる前記第１オブジェクトに対応する第２オブジェクトと、前記第３グループに含まれる前記第１オブジェクトに対応する第３オブジェクトとを表示する工程と、
前記タッチパネルに、複数の前記第２オブジェクトを第１方向に並べて表示すると共に、複数の前記第３オブジェクトを、前記第２オブジェクトに対して前記第１方向と交差する第２方向に離間した位置に前記第１方向に並べて表示し、
前記第２オブジェクトと前記第３オブジェクトとの各々を、前記第１方向にスクロール可能に表示し、
前記第２オブジェクトを前記第１方向にスクロールする第２所定操作を検出する工程と、
前記第２オブジェクトが所定条件を満たすか否かを判定する工程と
を含み、
前記所定条件は、前記第１方向の後端の前記第２オブジェクトが前記タッチパネルの前記第１方向の後端位置に表示されることを示し、
前記所定条件を満たすと判定されたときに前記第２所定操作が検出されることに応答して、又は、前記第２オブジェクトが前記第１方向にスクロールされているときに前記所定条件を満たすと判定されたことに応答して、前記第３オブジェクトを前記第１方向にスクロールする、表示制御方法。
【請求項５】
タッチパネルを備える画像形成装置であって、
複数の第１オブジェクトを含む第１グループを生成するグループ生成部と、
前記タッチパネルに、前記複数の第１オブジェクトを表示する表示制御部と、
前記タッチパネルを介して、前記複数の第１オブジェクトのうち、隣接する２つの第１オブジェクトに対する所定操作を検出する操作検出部と、
記録媒体に画像を形成する画像形成部と
を備え、
前記操作検出部が前記所定操作を検出したことに応答して、前記グループ生成部は、前記２つの第１オブジェクトの間で、前記第１グループを第２グループと第３グループとに分割し、
前記表示制御部は、前記タッチパネルに、前記第２グループに含まれる前記第１オブジェクトに対応する第２オブジェクトと、前記第３グループに含まれる前記第１オブジェクトに対応する第３オブジェクトとを表示し、
前記表示制御部は、
前記タッチパネルに、複数の前記第２オブジェクトを第１方向に並べて表示すると共に、複数の前記第３オブジェクトを、前記第２オブジェクトに対して前記第１方向と交差する第２方向に離間した位置に前記第１方向に並べて表示し、
前記第２オブジェクトと前記第３オブジェクトとの各々を、前記第１方向にスクロール可能に表示し、
前記画像形成装置は、
前記第２オブジェクトを前記第１方向にスクロールする第２操作を検出する第２操作検出部と、
前記第２オブジェクトが第１条件を満たすか否かを判定する第１条件判定部と
を更に備え、
前記第１条件は、前記第１方向の後端の前記第２オブジェクトが前記タッチパネルの前記第１方向の後端位置に表示されることを示し、
前記第１条件判定部が前記第１条件を満たすと判定したときに前記第２操作検出部が前記第２操作を検出することに応答して、又は、前記第２オブジェクトが前記第１方向にスクロールされているときに前記第１条件判定部が前記第１条件を満たすと判定したことに応答して、前記表示制御部は、前記第３オブジェクトを前記第１方向にスクロールする、画像形成装置。
【請求項６】
複数の原稿の各々に形成された画像を読み取る画像読取部を更に備え、
前記複数の第１オブジェクトは、前記画像読取部によって読み取られた複数の前記画像に対応する、請求項５に記載の画像形成装置。
【発明の詳細な説明】
【技術分野】
【０００１】
本発明は、タッチパネルを備える表示制御装置、表示制御方法、及び、画像形成装置に関する。
【背景技術】
【０００２】
一般的に、タッチパネルに表示されるオブジェクトを操作する種々の技術が知られている。例えば、特許文献１に記載されている画像形成装置は、タッチパネルに表示した複数のプレビュー画像を操作する。
【０００３】
具体的には、画像形成装置は、まず、複数のプレビュー画像のうち、２つのプレビュー画像をグループ外へ退避させる。そして、他の２つのプレビュー画像の所定位置をピンチアウト操作する。また、退避された２つのプレビュー画像を、ピンチアウト操作によって他の２つのプレビュー画像の間に挿入する。その結果、複数のプレビュー画像の表示位置の変更を直観的な操作で効率良く行うことができる。
【先行技術文献】
【特許文献】
【０００４】
【特許文献１】特開２０１４−１０６９４１号公報
【発明の概要】
【発明が解決しようとする課題】
【０００５】
しかしながら、特許文献１に記載の画像形成装置では、複数のプレビュー画像に対してユーザーが所望する操作を行うことができない場合があった。具体的には、上記画像形成装置では、複数のプレビュー画像の順序を変更することができるに止まる。したがって、例えば、複数のプレビュー画像の中から印刷する対象のプレビュー画像を選択することはできない。その結果、上記画像形成装置には、複数のプレビュー画像のようなオブジェクトに対する操作性を向上する余地があった。
【０００６】
本発明は、上記課題に鑑みてなされたものであり、タッチパネルに表示されたオブジェクトの操作性を向上できる表示制御装置、表示制御方法、及び、画像形成装置を提供することを目的としている。
【課題を解決するための手段】
【０００７】
本発明の表示制御装置は、タッチパネルを備える表示制御装置であって、グループ生成部、表示制御部、及び、第１操作検出部を備える。前記グループ生成部は、複数の第１オブジェクトを含む第１グループを生成する。前記表示制御部は、前記タッチパネルに、前記複数の第１オブジェクトを表示する。前記第１操作検出部は、前記タッチパネルを介して、前記複数の第１オブジェクトのうち、隣接する２つの第１オブジェクトに対する第１操作を検出する。前記第１操作検出部が前記第１操作を検出したことに応答して、前記グループ生成部は、前記２つの第１オブジェクトの間で、前記第１グループを第２グループと第３グループとに分割する。前記表示制御部は、前記タッチパネルに、前記第２グループに含まれる前記第１オブジェクトに対応する第２オブジェクトと、前記第３グループに含まれる前記第１オブジェクトに対応する第３オブジェクトとを表示する。
【０００８】
本発明の表示制御方法は、タッチパネルを備える表示制御装置の表示制御方法であって、複数の第１オブジェクトを含む第１グループを生成する工程と、前記タッチパネルに、前記複数の第１オブジェクトを表示する工程と、前記タッチパネルを介して、前記複数の第１オブジェクトのうち、隣接する２つの第１オブジェクトに対する所定操作を検出する工程と、前記所定操作を検出したことに応答して、前記２つの第１オブジェクトの間で、前記第１グループを第２グループと第３グループとに分割する工程と、前記タッチパネルに、前記第２グループに含まれる前記第１オブジェクトに対応する第２オブジェクトと、前記第３グループに含まれる前記第１オブジェクトに対応する第３オブジェクトとを表示する工程とを含む。
【０００９】
本発明の画像形成装置は、タッチパネルを備える画像形成装置であって、グループ生成部、表示制御部、第１操作検出部、及び、画像形成部を備える。前記グループ生成部は、複数の第１オブジェクトを含む第１グループを生成する。前記表示制御部は、前記タッチパネルに、前記複数の第１オブジェクトを表示する。前記第１操作検出部は、前記タッチパネルを介して、前記複数の第１オブジェクトのうち、隣接する２つの第１オブジェクトに対する第１操作を検出する。前記画像形成部は、記録媒体に画像を形成する。前記第１操作検出部が前記第１操作を検出したことに応答して、前記グループ生成部は、前記２つの第１オブジェクトの間で、前記第１グループを第２グループと第３グループとに分割する。前記表示制御部は、前記タッチパネルに、前記第２グループに含まれる前記第１オブジェクトに対応する第２オブジェクトと、前記第３グループに含まれる前記第１オブジェクトに対応する第３オブジェクトとを表示する。
【発明の効果】
【００１０】
本発明の表示制御装置、表示制御方法、及び、画像形成装置によれば、タッチパネルに表示されたオブジェクトの操作性を向上できる。
【図面の簡単な説明】
【００１１】
【図１】本発明の実施形態に係る画像形成装置を示す図である。
【図２】本発明の実施形態に係る画像形成装置の制御部の構成を示す図である。
【図３】第１オブジェクトに対してスクロール操作を行う画面の一例を示す図である。
【図４】第１オブジェクトに対して第１操作を行う画面の一例を示す図である。
【図５】第１オブジェクトに対する第１操作に応答して表示される画面の一例を示す図である。
【図６】第２オブジェクトが第１条件を満たす画面の一例を示す図である。
【図７】第２オブジェクトが第１条件を満たした場合に表示される画面の一例を示す図である。
【図８】第３オブジェクトが第２条件を満たす画面の一例を示す図である。
【図９】第３オブジェクトが第２条件を満たした場合に表示される画面の一例を示す図である。
【図１０】第３オブジェクトに対して第３操作を行う画面の一例を示す図である。
【図１１】第３オブジェクトが第２条件を満たす画面の一例を示す図である。
【図１２】第２オブジェクトに対して第２操作を行う画面の一例を示す図である。
【図１３】第３条件の一例を示すグラフである。
【図１４】第２オブジェクトが第３条件を満たした場合に表示される画面の一例を示す図である。
【図１５】制御部の動作の第１部を示すフローチャートである。
【図１６】制御部の動作の第２部を示すフローチャートである。
【図１７】制御部の動作の第３部を示すフローチャートである。
【発明を実施するための形態】
【００１２】
以下、本発明の実施形態について、図面（図１〜図１７）を参照しながら説明する。なお、図中、同一又は相当部分については同一の参照符号を付して説明を繰り返さない。
【００１３】
まず、図１を参照して、本実施形態に係る画像形成装置１００について説明する。画像形成装置１００は、本実施形態では、複合機である。画像形成装置１００は、スキャナー、複写機、プリンター、及び、ファクシミリの各機能を有する。画像形成装置１００は、画像形成ユニット１、画像読取ユニット２、原稿搬送ユニット３、操作パネル４、及び、制御部５を備える。
【００１４】
画像形成ユニット１は、記録用紙Ｐに画像を形成する。画像読取ユニット２は、原稿Ｒに形成された画像を読み取る。原稿搬送ユニット３は、読み取り対象の原稿Ｒを搬送する。操作パネル４は、タッチパネル４１を備え、画像形成装置１００に対するユーザーからの操作を受け付ける。制御部５は、画像形成装置１００の動作を制御する。
【００１５】
画像形成ユニット１は、給紙カセット１１、搬送路１２、及び、画像形成部１３を備える。搬送路１２は、給紙カセット１１から繰り出された記録用紙Ｐを画像形成部１３まで搬送する。画像形成部１３は、給紙カセット１１から搬送されてきた記録用紙Ｐに画像を形成する。
【００１６】
次に、図２を参照して、制御部５の構成について説明する。制御部５は、画像読取部５１０、第１操作検出部５１１、グループ生成部５１２、表示制御部５１３、第２操作検出部５１４、第１条件判定部５１５、第３操作検出部５１６、第２条件判定部５１７、第３条件判定部５１８、画像形成制御部５１９、及び、画像記憶部５２を備える。
【００１７】
具体的には、制御部５は、プロセッサー及び記憶装置を備える。プロセッサーは、例えば、ＣＰＵ（Ｃｅｎｔｒａｌ  Ｐｒｏｃｅｓｓｉｎｇ  Ｕｎｉｔ）を含む。記憶装置は、例えば、半導体メモリーを含み、ＨＤＤ（Ｈａｒｄ  Ｄｉｓｋ  Ｄｒｉｖｅ）を更に含んでもよい。プロセッサーは、記憶装置に格納された制御プログラムを読み出して実行することによって、各種機能部として機能する。具体的には、プロセッサーは、画像読取部５１０、第１操作検出部５１１、グループ生成部５１２、表示制御部５１３、第２操作検出部５１４、第１条件判定部５１５、第３操作検出部５１６、第２条件判定部５１７、第３条件判定部５１８、及び、画像形成制御部５１９として機能する。また、記憶装置は、画像記憶部５２として機能する。
【００１８】
画像読取部５１０は、タッチパネル４１を介してユーザーからの操作を受け付ける。また、画像読取部５１０は、受け付けた操作に基づいて、原稿搬送ユニット３に原稿Ｒを搬送させ、画像読取ユニット２を介して原稿Ｒに形成された画像を読み取る。更に、画像読取部５１０は、読み取った画像に対応する画像情報を画像記憶部５２に記憶させる。本実施形態において、画像読取部５１０は２６枚の原稿Ｒに形成された画像を読み取る。また、画像読取部５１０は、２６枚の原稿Ｒに形成された画像にそれぞれ対応する２６個の画像情報を画像記憶部５２に記憶させる。２６個の画像情報は、２６個の第１オブジェクトＢＪ１に対応する。２６個の第１オブジェクトＢＪ１は、第１グループＧ１を構成する。
【００１９】
画像記憶部５２は、第１オブジェクトＢＪ１に対応する画像情報を記憶する。画像情報は、表示制御部５１３によって画像記憶部５２から読み出される。
【００２０】
第１操作検出部５１１は、タッチパネル４１を介して、第１操作ＯＰ１を検出する。第１操作ＯＰ１は、複数の第１オブジェクトＢＪ１のうち、隣接する２つの第１オブジェクトＢＪ１に対して行われる。具体的には、第１操作ＯＰ１は、第１方向ＤＲ１に交差する第３方向ＤＲ３のスワイプ操作ＯＰＳである。本実施形態では、第３方向ＤＲ３は、第１方向ＤＲ１に直交する。第１操作ＯＰ１は、隣接する２つの第１オブジェクトＢＪ１の間で行われる。第１操作検出部５１１は、タッチパネル４１を介して、スクロール操作ＯＰＭを検出する。
【００２１】
グループ生成部５１２は、複数の第１オブジェクトＢＪ１を含む第１グループＧ１を生成する。また、グループ生成部５１２は、第１操作検出部５１１が第１操作ＯＰ１を検出したことに応答して、２つの第１オブジェクトＢＪ１の間で第１グループを、第２グループＧ２と第３グループＧ３とに分割する。更に、グループ生成部５１２は、第２オブジェクトＢＪ２に対応する画像情報及び第３オブジェクトＢＪ３に対応する画像情報を画像記憶部５２に記憶させる。第２オブジェクトＢＪ２は、第２グループＧ２に含まれる第１オブジェクトＢＪ１に対応する。第３オブジェクトＢＪ３は、第３グループＧ３に含まれる第１オブジェクトＢＪ１に対応する。
【００２２】
表示制御部５１３は、グループ生成部５１２が第１グループＧ１を生成したときに、タッチパネル４１に複数の第１オブジェクトＢＪ１を表示する。表示制御部５１３は、複数の第１オブジェクトＢＪ１を第１方向ＤＲ１にスクロール可能に表示する。また、表示制御部５１３は、グループ生成部５１２が第２グループＧ２及び第３グループＧ３を生成したときに、タッチパネル４１に第２オブジェクトＢＪ２及び第３オブジェクトＢＪ３を表示する。表示制御部５１３は、複数の第２オブジェクトＢＪ２と複数の第３オブジェクトＢＪ３との各々を、第１方向ＤＲ１にスクロール可能に表示する。
【００２３】
第２操作検出部５１４は、第２操作ＯＰ２を検出する。第２操作ＯＰ２は、第２オブジェクトＢＪ２を第１方向ＤＲ１にスクロールする操作である。
【００２４】
第１条件判定部５１５は、第２オブジェクトＢＪ２が第１条件を満たすか否かを判定する。第１条件は、第１方向ＤＲ１の後端の第２オブジェクトＢＪ２がタッチパネル４１の第１方向ＤＲ１の後端位置に表示されることを示す。
【００２５】
第３操作検出部５１６は、第３操作ＯＰ３を検出する。第３操作ＯＰ３は、第３オブジェクトＢＪ３を第１方向ＤＲ１にスクロールする操作である。
【００２６】
第２条件判定部５１７は、第３オブジェクトＢＪ３が第２条件を満たすか否かを判定する。第２条件は、第１方向ＤＲ１の後端の第３オブジェクトＢＪ３が、タッチパネル４１の第１方向ＤＲ１の後端位置に表示されることを示す。
【００２７】
第３条件判定部５１８は、第２操作ＯＰ２が第３条件を満たすか否かを判定する。第３条件は、第２操作ＯＰ２の開始時間の間隔ＰＤが閾値ＳＨ以上であることを示す。
【００２８】
画像形成制御部５１９は、画像形成ユニット１を介して、記録用紙Ｐに画像を形成する。例えば、画像形成制御部５１９は、第２オブジェクトＢＪ２に対応する画像を記録用紙Ｐに形成する。また、例えば、画像形成制御部５１９は、第３オブジェクトＢＪ３に対応する画像を記録用紙Ｐに形成する。
【００２９】
なお、画像形成装置１００は、「表示制御装置」の一例に相当する。記録用紙Ｐは、「記録媒体」の一例に相当する。画像形成ユニット１は、「画像形成部」の一部に相当する。画像形成制御部５１９は、「画像形成部」の一部に相当する。第１操作検出部５１１は、「第１操作検出部」の一例に相当すると共に、「操作検出部」の一例にも相当する。第１操作ＯＰ１は、「第１操作」の一例に相当すると共に、「所定操作」の一例にも相当する。
【００３０】
次に、図３を参照して、第１オブジェクトＢＪ１に対するスクロール操作について説明する。画面６００は、グループ生成部５１２が第１グループＧ１を生成したときに、表示制御部５１３によってタッチパネル４１に表示される画面を示す。表示制御部５１３は、タッチパネル４１に、第１オブジェクト６０１〜６２６を第１方向ＤＲ１に並べて表示する。本実施形態では、第１方向ＤＲ１は左方向を示す。具体的には、表示制御部５１３は、タッチパネル４１の上下方向の略中央位置に、第１オブジェクト６０１〜６２６を、第１方向ＤＲ１の先端から順に、第１方向ＤＲ１の後端側に向けて、並べて表示する。画面６００には、第１オブジェクト６０１〜６２６のうち、第１オブジェクト６０１〜６０５が表示されている。画面６００には、破線で示す第１オブジェクト６０６〜６２６は表示されない。また、画面６００には、第１グループ表示領域ＧＲ１を一点鎖線で示している。第１グループ表示領域ＧＲ１は、第１オブジェクト６０１〜６２６が第１グループＧ１に含まれることを示す。
【００３１】
また、第１オブジェクト６０１は、２６枚の原稿Ｒのうち、１枚目（図１では最上位置）の原稿Ｒに形成された画像に対応する画像情報を示す。第１オブジェクト６０２は、２６枚の原稿Ｒのうち、２枚目（図１では上から２枚目）の原稿Ｒに形成された画像に対応する画像情報を示す。同様に、第１オブジェクト６０３〜６２６は、２６枚の原稿Ｒのうち、ぞれぞれ、３枚目（図１では上から３枚目）〜２６枚目（図１では上から２６枚目）の原稿Ｒに形成された画像に対応する画像情報を示す。
【００３２】
次に、第１グループ表示領域ＧＲ１内で第１方向ＤＲ１へのスクロール操作ＯＰＭが行われる場合について以下に説明する。まず、ユーザーの手Ｈ１１の指が第１グループ表示領域ＧＲ１内の位置Ｐ１１に接触する。そして、ユーザーが手Ｈ１１の指をタッチパネル４１に触れた状態で方向ＡＲ１に、第１グループ表示領域ＧＲ１内の位置Ｐ１２まで移動する。次に、位置Ｐ１２においてユーザーが手Ｈ１２の指をタッチパネル４１から離す。その結果、第１操作検出部５１１は、第１オブジェクトＢＪ１に対するスクロール操作ＯＰＭを検出する。スクロール操作ＯＰＭは、第１方向ＤＲ１のスワイプ操作ＯＰＳを示す。
【００３３】
第１操作検出部５１１がスクロール操作ＯＰＭを検出すると、表示制御部５１３は、第１オブジェクト６０１〜６２６を第１方向ＤＲ１にスクロールしてタッチパネル４１に表示する。具体的には、第１操作検出部５１１が方向ＡＲ１への手Ｈ１１の指の移動を検出した時点で、表示制御部５１３は、第１オブジェクト６０１〜６２６の第１方向ＤＲ１へのスクロールを開始する。その結果、例えば、図４に示す画面６５０がタッチパネル４１に表示される。
【００３４】
次に、図４を参照して、第１オブジェクトＢＪ１に対する第１操作ＯＰ１について説明する。画面６５０は、第１操作検出部５１１がスクロール操作ＯＰＭを検出したときに、表示制御部５１３がタッチパネル４１に表示する画面を示す。画面６５０には、第１オブジェクト６０１〜６２６のうち、第１オブジェクト６０６〜６１０が表示されている。画面６５０には、破線で示す第１オブジェクト６０１〜６０５及び第１オブジェクト６１１〜６２６は表示されない。また、画面６５０には、第１グループ表示領域ＧＲ１を一点鎖線で示している。
【００３５】
次に、第１オブジェクト６０９と第１オブジェクト６１０との間で、第１操作ＯＰ１が行われる場合について説明する。まず、ユーザーの手Ｈ２１の指が第１オブジェクト６０９と第１オブジェクト６１０との間の位置Ｐ２１に接触する。そして、手Ｈ２１の指がタッチパネル４１に触れた状態で、ユーザーが手Ｈ２１の指を方向ＡＲ２に第１オブジェクト６０９と第１オブジェクト６１０との間の位置Ｐ２２まで移動する。次に、位置Ｐ２２においてユーザーが手Ｈ２２の指をタッチパネル４１から離す。その結果、第１操作検出部５１１が、隣接する２つの第１オブジェクト６０９、６１０に対する第１操作ＯＰ１を検出する。第１操作ＯＰ１は、第３方向ＤＲ３のスワイプ操作ＯＰＳを示す。また、第３方向ＤＲ３は上方向を示す。
【００３６】
グループ生成部５１２は、第１操作検出部５１１が第１操作ＯＰ１を検出したことに応答して、２つの第１オブジェクトＢＪ１の間で第１グループを、第２グループＧ２と第３グループＧ３とに分割する。具体的には、グループ生成部５１２は、第１オブジェクト６０１から第１オブジェクト６０９までの第１オブジェクトＢＪ１で第２グループＧ２を生成する。また、グループ生成部５１２は、第１オブジェクト６１０から第１オブジェクト６２６までの第１オブジェクトＢＪ１で第３グループＧ３を生成する。第２オブジェクトＢＪ２は、第２グループＧ２に含まれる第１オブジェクトＢＪ１に対応する。第３オブジェクトＢＪ３は、第３グループＧ３に含まれる第１オブジェクトＢＪ１に対応する。
【００３７】
表示制御部５１３は、タッチパネル４１に、第２オブジェクトＢＪ２を第１方向ＤＲ１に並べて表示する。また、表示制御部５１３は、タッチパネル４１に、第３オブジェクトＢＪ３を第２方向ＤＲ２に離間した位置に第１方向ＤＲ１に並べて表示する。第２方向ＤＲ２は、第２オブジェクトＢＪ２に対して第１方向ＤＲ１と交差する。本実施形態では、第２方向ＤＲ２は、第１方向ＤＲ１に直交する。その結果、例えば、図５に示す画面９００がタッチパネル４１に表示される。
【００３８】
次に、図５〜図９を参照して、第２操作ＯＰ２が検出された場合にタッチパネル４１に表示される画面の推移について説明する。まず、図５を参照して、表示制御部５１３がタッチパネル４１に表示する画面９００について説明する。画面９００は、第１操作検出部５１１が第１操作ＯＰ１を検出されたことに応答して表示される。画面９００には、第２オブジェクト７０１〜７０５及び第３オブジェクト８０１〜８０５が表示されている。画面９００には、第２オブジェクト７０６〜７０９及び第３オブジェクト８０６〜８１７は表示されない。第２オブジェクト７０１〜７０９は、それぞれ、第２グループＧ２に含まれる第１オブジェクト６０１〜６０９に対応する。第３オブジェクト８０１〜８１７は、それぞれ、第３グループＧ３に含まれる第１オブジェクト６１０〜６２６に対応する。
【００３９】
表示制御部５１３は、第２オブジェクト７０１〜７０９を、タッチパネル４１の上半分の領域に第１方向ＤＲ１の先端側から後端側に並べて表示する。その結果、タッチパネル４１には、第２オブジェクト７０１〜７０５が表示される。また、破線で示す第２オブジェクト７０６〜７０９は、タッチパネル４１には表示されない。画面９００には、第２グループ表示領域ＧＲ２を一点鎖線で示している。第２グループ表示領域ＧＲ２は、第２オブジェクト７０１〜７０９が第２グループＧ２に含まれることを示す。また、表示制御部５１３は、第３オブジェクト８０１〜８１７を、タッチパネル４１の下半分の領域に第１方向ＤＲ１の先端側から後端側に並べて表示する。その結果、タッチパネル４１には、第３オブジェクト８０１〜８０５が表示される。また、破線で示す第３オブジェクト８０６〜８１７は、タッチパネル４１には表示されない。画面９００には、第３グループ表示領域ＧＲ３を一点鎖線で示している。第３グループ表示領域ＧＲ３は、第３オブジェクト８０１〜８１７が第３グループＧ３に含まれることを示す。
【００４０】
次に、第２グループ表示領域ＧＲ２内で、第２操作ＯＰ２が行われる場合について以下に説明する。まず、ユーザーの手Ｈ３１の指が第２グループ表示領域ＧＲ２内の位置Ｐ３１に接触する。そして、手Ｈ３１の指がタッチパネル４１に触れた状態で、ユーザーが手Ｈ３１の指を方向ＡＲ３に第２グループ表示領域ＧＲ２内の位置Ｐ３２まで移動する。次に、位置Ｐ３２においてユーザーが手Ｈ３２の指をタッチパネル４１から離す。その結果、第２操作検出部５１４が、第２オブジェクトＢＪ２に対する第２操作ＯＰ２を検出する。第２操作ＯＰ２は、第２オブジェクトＢＪ２に対する第１方向ＤＲ１のスワイプ操作ＯＰＳを示す。
【００４１】
第２操作検出部５１４が第２オブジェクトＢＪ２に対する第２操作ＯＰ２を検出したことに応答して、表示制御部５１３は、第２オブジェクト７０１〜７０９を第１方向ＤＲ１にスクロールしてタッチパネル４１に表示する。具体的には、第２操作検出部５１４が方向ＡＲ３への手Ｈ３１の指の移動を検出した時点で、表示制御部５１３は、第２オブジェクト７０１〜７０９の第１方向ＤＲ１へのスクロールを開始する。その結果、例えば、図６に示す画面９１０がタッチパネル４１に表示される。
【００４２】
次に、図６を参照して、第２オブジェクトＢＪ２が第１条件を満たす場合について説明する。画面９１０には、第２オブジェクト７０５〜７０９及び第３オブジェクト８０１〜８０５が表示されている。画面９１０には、破線で示す第２オブジェクト７０１〜７０４及び第３オブジェクト８０６〜８１７は表示されない。第１方向ＤＲ１の後端の第２オブジェクト７０９が、タッチパネル４１の第１方向ＤＲ１の後端位置に表示されている。
【００４３】
また、第１条件は、第１方向ＤＲ１の後端の第２オブジェクト７０９がタッチパネル４１の第１方向ＤＲ１の後端位置に表示されることを示す。よって、第１条件判定部５１５は、第２オブジェクトＢＪ２が第１条件を満たすと判定する。
【００４４】
次に、第２グループ表示領域ＧＲ２内で第２操作ＯＰ２が行われる場合について以下に説明する。まず、ユーザーの手Ｈ４１の指が第２グループ表示領域ＧＲ２内の位置Ｐ４１に接触する。そして、手Ｈ４１の指がタッチパネル４１に触れた状態で、ユーザーが手Ｈ４１の指を方向ＡＲ４に第２グループ表示領域ＧＲ２内の位置Ｐ４２まで移動する。次に、位置Ｐ４２においてユーザーが手Ｈ４２の指をタッチパネル４１から離す。その結果、第２操作検出部５１４が、第２オブジェクトＢＪ２に対する第２操作ＯＰ２を検出する。
【００４５】
第１条件判定部５１５が第１条件を満たすと判定したときに、第２オブジェクトＢＪ２に対する第２操作ＯＰ２に応答して、表示制御部５１３は、第３オブジェクトＢＪ３を第１方向ＤＲ１にスクロールする。その結果、図７に示す画面９２０がタッチパネル４１に表示される。また、第２オブジェクトＢＪ２が第１方向ＤＲ１にスクロールされているときに、第１条件判定部５１５が第１条件を満たすと判定したことに応答して、表示制御部５１３は、第３オブジェクトＢＪ３を第１方向ＤＲ１にスクロールしてタッチパネル４１に表示する。この場合にも、図７に示す画面９２０がタッチパネル４１に表示される。
【００４６】
次に、図７を参照して、第２オブジェクトＢＪ２が第１条件を満たした場合に表示される画面９２０について説明する。画面９２０には、第２オブジェクト７０５〜７０９及び第３オブジェクト８０５〜８０９が表示されている。画面９２０には、破線で示す第２オブジェクト７０１〜７０４、第３オブジェクト８０１〜８０４及び第３オブジェクト８１０〜８１７は表示されない。第１方向ＤＲ１の後端の第２オブジェクト７０９が、タッチパネル４１の第１方向ＤＲ１の後端位置に表示されているため、第１条件判定部５１５は、第２オブジェクトＢＪ２が第１条件を満たすと判定する。
【００４７】
次に、第２グループ表示領域ＧＲ２内で第２オブジェクトＢＪ２に対する第２操作ＯＰ２が行われる場合について以下に説明する。まず、ユーザーの手Ｈ５１の指が第２グループ表示領域ＧＲ２内の位置Ｐ５１に接触する。そして、手Ｈ５１の指がタッチパネル４１に触れた状態で、ユーザーが手Ｈ５１の指を方向ＡＲ５に第２グループ表示領域ＧＲ２内の位置Ｐ５２まで移動する。次に、位置Ｐ５２においてユーザーが手Ｈ５２の指をタッチパネル４１から離す。その結果、第２操作検出部５１４が、第２オブジェクトＢＪ２に対する第２操作ＯＰ２を検出する。
【００４８】
第１条件判定部５１５が第１条件を満たすと判定したときに、第２オブジェクトＢＪ２に対する第２操作ＯＰ２に応答して、表示制御部５１３は、第３オブジェクトＢＪ３を第１方向ＤＲ１にスクロールしてタッチパネル４１に表示する。その結果、図８に示す画面９３０がタッチパネル４１に表示される。
【００４９】
図８を参照して、第３オブジェクトＢＪ３が第２条件を満たす場合について説明する。画面９３０には、第２オブジェクト７０５〜７０９及び第３オブジェクト８１３〜８１７が表示されている。画面９３０には、破線で示す第２オブジェクト７０１〜７０４及び第３オブジェクト８０１〜８１２は表示されない。また、第１方向ＤＲ１の後端の第３オブジェクト８１７が、タッチパネル４１の第１方向ＤＲ１の後端位置に表示されている。
【００５０】
また、第２条件は、第１方向ＤＲ１の後端の第３オブジェクトＢＪ３がタッチパネル４１の第１方向ＤＲ１の後端位置に表示されることを示す。したがって、第２条件判定部５１７は、第３オブジェクトＢＪ３が第２条件を満たすと判定する。
【００５１】
次に、第２グループ表示領域ＧＲ２内で第２操作ＯＰ２が行われる場合について以下に説明する。まず、ユーザーの手Ｈ６１の指が第２グループ表示領域ＧＲ２内の位置Ｐ６１に接触する。そして、手Ｈ６１の指がタッチパネル４１に触れた状態で、ユーザーが手Ｈ６１の指を方向ＡＲ６に第２グループ表示領域ＧＲ２内の位置Ｐ６２まで移動する。次に、位置Ｐ６２においてユーザーが手Ｈ６２の指をタッチパネル４１から離す。その結果、第２操作検出部５１４が、第２オブジェクトＢＪ２に対する第２操作ＯＰ２を検出する。
【００５２】
第２条件判定部５１７が第２条件を満たすと判定したときに、第２オブジェクトＢＪ２に対する第２操作ＯＰ２に応答して、表示制御部５１３は、以下の処理を行う。すなわち、表示制御部５１３は、第１方向ＤＲ１の先端の第２オブジェクトＢＪ２をタッチパネル４１の第１方向ＤＲ１の先端位置に表示する。その結果、図９に示す画面９４０がタッチパネル４１に表示される。また、第３オブジェクトＢＪ３が第１方向ＤＲ１にスクロールされているときに、第２条件判定部５１７が第２条件を満たすと判定したことに応答して、表示制御部５１３は、以下の処理を行う。すなわち、表示制御部５１３は、第１方向ＤＲ１の先端の第２オブジェクトＢＪ２をタッチパネル４１の第１方向ＤＲ１の先端位置に表示する。その結果、図９に示す画面９４０がタッチパネル４１に表示される。
【００５３】
次に、図９を参照して、第３オブジェクトＢＪ３が第２条件を満たした場合に表示される画面９４０について説明する。画面９４０には、第２オブジェクト７０１〜７０５及び第３オブジェクト８１３〜８１７が表示されている。画面９４０には、破線で示す第２オブジェクト７０６〜７０９及び第３オブジェクト８０１〜８１２は表示されない。
【００５４】
第２条件判定部５１７が第２条件を満たすと判定したときに、第２オブジェクトＢＪ２に対する第２操作ＯＰ２に応答して、表示制御部５１３は、第２オブジェクト７０１をタッチパネル４１の左端位置に表示する。また、第３オブジェクトＢＪ３が第１方向ＤＲ１にスクロールされているときに、第２条件判定部５１７が第２条件を満たすと判定したことに応答して、表示制御部５１３は、第２オブジェクト７０１をタッチパネル４１の左端位置に表示する。画面９４０における第２オブジェクト７０１〜７０５の表示位置は、図５に示す画面９００における第２オブジェクト７０１〜７０５の表示位置と一致している。したがって、第２条件判定部５１７が第２条件を満たすと判定したときに、第２オブジェクトＢＪ２に対する第２操作ＯＰ２に応答して、表示制御部５１３は、第２オブジェクトＢＪ２を初期位置に表示する。
【００５５】
更に、図９に示す画面９４０がタッチパネル４１に表示された後、第２操作検出部５１４が、第２操作ＯＰ２を検出すると、表示制御部５１３は、以下の処理を行う。すなわち、表示制御部５１３は、第２オブジェクトＢＪ２を第１方向ＤＲ１にスクロールして表示する。そして、第１方向ＤＲ１の後端の第２オブジェクトＢＪ２がタッチパネル４１の第１方向ＤＲ１の後端位置に表示されると、第１条件判定部５１５が、第２オブジェクトＢＪ２が第１条件を満たすと判定する。第１条件判定部５１５が第１条件を満たすと判定したときに、第２オブジェクトＢＪ２に対する第２操作ＯＰ２に応答して、表示制御部５１３は、第３オブジェクトＢＪ３を初期位置に表示する。
【００５６】
次に、図１０、図１１を参照して、第３オブジェクトＢＪ３に対して第３操作ＯＰ３が行われる場合について説明する。図１０は、第３オブジェクトＢＪ３に対して第３操作が行われる画面９５０の一例を示す図である。画面９５０には、第２オブジェクト７０２〜７０６及び第３オブジェクト８０５〜８０９が表示されている。画面９５０には、破線で示す第２オブジェクト７０１、第２オブジェクト７０７〜７０９、第３オブジェクト８０１〜８０４、及び、第３オブジェクト８１０〜８１７は表示されない。
【００５７】
次に、第３グループ表示領域ＧＲ３内で第３操作ＯＰ３が行われる場合について以下に説明する。まず、ユーザーの手Ｈ７１の指が第３グループ表示領域ＧＲ３内の位置Ｐ７１に接触する。そして、手Ｈ７１の指がタッチパネル４１に触れた状態で、ユーザーが手Ｈ７１の指を方向ＡＲ７に第３グループ表示領域ＧＲ３内の位置Ｐ７２まで移動する。次に、位置Ｐ７２においてユーザーが手Ｈ７２の指をタッチパネル４１から離す。その結果、第３操作検出部５１６が、第３オブジェクトＢＪ３に対する第３操作ＯＰ３を検出する。第３操作ＯＰ３は、第３オブジェクトＢＪ３を第１方向ＤＲ１にスクロールする操作を示す。具体的には、第３操作ＯＰ３は、第３オブジェクトＢＪ３に対する第１方向ＤＲ１のスワイプ操作ＯＰＳを示す。
【００５８】
第３操作検出部５１６が第３オブジェクトＢＪ３に対する第３操作ＯＰ３を検出したことに応答して、表示制御部５１３は、第３オブジェクト８０１〜８１７を第１方向ＤＲ１にスクロールしてタッチパネル４１に表示する。その結果、例えば、図１１に示す画面９６０がタッチパネル４１に表示される。
【００５９】
図１１は、第３オブジェクトＢＪ３が第２条件を満たす画面９６０の一例を示す図である。画面９６０には、第２オブジェクト７０２〜７０６及び第３オブジェクト８１３〜８１７が表示されている。画面９６０には、第２オブジェクト７０１、第２オブジェクト７０７〜７０９及び第３オブジェクト８０１〜８１２は表示されない。また、第３オブジェクト８１７は、タッチパネル４１の右端位置に表示されている。したがって、第２条件判定部５１７は、第２条件を満たすと判定する。
【００６０】
次に、第３グループ表示領域ＧＲ３内で第３操作ＯＰ３が行われる場合について以下に説明する。まず、ユーザーの手Ｈ８１の指が第３グループ表示領域ＧＲ３内の位置Ｐ８１に接触する。そして、手Ｈ８１の指がタッチパネル４１に触れた状態で、ユーザーが手Ｈ８１の指を方向ＡＲ８に第３グループ表示領域ＧＲ３内の位置Ｐ８２まで移動する。次に、位置Ｐ８２においてユーザーが手Ｈ８２の指をタッチパネル４１から離す。その結果、第３操作検出部５１６が、第３オブジェクトＢＪ３に対する第３操作ＯＰ３を検出する。
【００６１】
第２条件判定部５１７が第２条件を満たすと判定したときに、第３オブジェクトＢＪ３に対する第３操作ＯＰ３に応答して、表示制御部５１３は、以下の処理を行う。すなわち、表示制御部５１３は、第１方向ＤＲ１の先端の第２オブジェクトＢＪ２をタッチパネル４１の第１方向ＤＲ１の先端位置に表示する。その結果、例えば、図９に示す画面９４０がタッチパネル４１に表示される。したがって、第２条件判定部５１７が第２条件を満たすと判定したときに、第３オブジェクトＢＪ３に対する第３操作ＯＰ３に応答して、表示制御部５１３は、第２オブジェクトＢＪ２を初期位置に表示する。
【００６２】
また、第３オブジェクトＢＪ３が第１方向ＤＲ１にスクロールされているときに、第２条件判定部５１７が第２条件を満たすと判定したことに応答して、表示制御部５１３は、以下の処理を行う。すなわち、表示制御部５１３は、第１方向ＤＲ１の先端の第２オブジェクトＢＪ２をタッチパネル４１の第１方向ＤＲ１の先端位置に表示する。この場合にも、図９に示す画面９４０がタッチパネル４１に表示される。したがって、第３オブジェクトＢＪ３が第１方向ＤＲ１にスクロールされているときに、第２条件判定部５１７が第２条件を満たすと判定したことに応答して、表示制御部５１３は、第２オブジェクトＢＪ２を初期位置に表示する。
【００６３】
更に、図９に示す画面９４０がタッチパネル４１に表示された後、第３操作検出部５１６が、第３操作ＯＰ３を検出すると、表示制御部５１３は、以下の処理を行う。すなわち、表示制御部５１３は、第２オブジェクトＢＪ２を第１方向ＤＲ１にスクロールして表示する。したがって、第３操作ＯＰ３によって、第２オブジェクトＢＪ２をスクロールすることができる。
【００６４】
次に、図１２〜図１４を参照して、第２オブジェクトＢＪ２が第３条件を満たす場合について説明する。図１２は、第２オブジェクトＢＪ２に対して第２操作ＯＰ２を行う画面９７０の一例を示す図である。画面９７０には、第２オブジェクト７０２〜７０６及び第３オブジェクト８１３〜８１７が表示されている。画面９７０には、破線で示す第２オブジェクト７０１、第２オブジェクト７０７〜７０９及び第３オブジェクト８０１〜８１２は表示されない。
【００６５】
次に、第２グループ表示領域ＧＲ２内において第２操作ＯＰ２が行われる場合について以下に説明する。まず、ユーザーの手Ｈ９１の指が第２グループ表示領域ＧＲ２の位置Ｐ９１に接触する。そして、手Ｈ９１の指がタッチパネル４１に触れた状態で、ユーザーが手Ｈ９１の指を方向ＡＲ９に第２グループ表示領域ＧＲ２内の位置Ｐ９２まで移動する。次に、位置Ｐ９２においてユーザーが手Ｈ９２の指をタッチパネル４１から離す。その結果、第２操作検出部５１４が、第２オブジェクトＢＪ２に対する第２操作ＯＰ２を検出する。
【００６６】
次に、図１３を参照して、第３条件について説明する。図１３は、第３条件を示すグラフＧである。横軸は、時間Ｔを示し、縦軸は操作の状態を示す。第２操作ＯＰ２を繰り返して行う場合について、以下に説明する。まず、時間Ｔ１１において、ユーザーの指がタッチパネル４１に接触する。そして、時間Ｔ１２において、ユーザーの指が第１方向ＤＲ１に移動を開始する。次に、時間Ｔ１３において、ユーザーの指が第１方向ＤＲ１への移動を停止する。次に、時間Ｔ１４において、ユーザーの指がタッチパネル４１から離れる。時間Ｔ１１から時間Ｔ１４までの期間ＰＤＡが、第２操作ＯＰ２の期間を示す。
【００６７】
同様にして、時間Ｔ１５、時間Ｔ１９及び時間Ｔ２３において、ユーザーの指がタッチパネル４１に接触する。そして、時間Ｔ１６、時間Ｔ２０及び時間Ｔ２４において、ユーザーの指が第１方向ＤＲ１に移動を開始する。次に、時間Ｔ１７、時間Ｔ２１及び時間Ｔ２５において、ユーザーの指が第１方向ＤＲ１への移動を停止する。次に、時間Ｔ１８、時間Ｔ２２及び時間Ｔ２６において、ユーザーの指がタッチパネル４１から離れる。時間Ｔ１５から時間Ｔ１８までの期間ＰＤＢ、時間Ｔ１９から時間Ｔ２２までの期間ＰＤＣ、及び、時間Ｔ２３から時間Ｔ２６までの期間ＰＤＤが、第２操作ＯＰ２の期間を示す。
【００６８】
また、時間Ｔ１１は、１回目の第２操作ＯＰ２の開始時間を示す。同様に、時間Ｔ１５は、２回目の第２操作ＯＰ２の開始時間を示し、時間Ｔ１９は、３回目の第２操作ＯＰ２の開始時間を示し、時間Ｔ２３は、４回目の第２操作ＯＰ２の開始時間を示す。したがって、時間Ｔ１１から時間Ｔ１５までの期間ＰＤ１が、第２操作ＯＰ２の開始時間の間隔を示す。同様にして、時間Ｔ１５から時間Ｔ１９までの期間ＰＤ２、及び、時間Ｔ１９から時間Ｔ２３までの期間ＰＤ３が、第２操作ＯＰ２の開始時間の間隔を示す。
【００６９】
第３条件は、第２操作ＯＰ２の開始時間の間隔が閾値ＳＨ以上であることを示す。第２操作ＯＰ２の開始時間の間隔は、例えば、期間ＰＤ１〜期間ＰＤ３を示す。閾値ＳＨは、例えば、２秒である。
【００７０】
図１４は、第２オブジェクトＢＪ２が第３条件を満たした後に表示される画面９８０の一例を示す図である。画面９８０には、第２オブジェクト７０８、第２オブジェクト７０９、第２オブジェクト７０１〜７０３、及び、第３オブジェクト８１３〜８１７が表示されている。第３条件判定部５１８が第３条件を満たすと判定したときに、表示制御部５１３は、複数の第２オブジェクトＢＪ２をループさせて表示する。画面９８０には、第２グループ表示領域ＧＲ２Ａを一点鎖線で示している。第２グループ表示領域ＧＲ２Ａは、ループ状の第２オブジェクト７０１〜７０９が第２グループＧ２に含まれることを示す。
【００７１】
具体的には、第３条件判定部５１８が第３条件を満たすと判定したときに、表示制御部５１３は、以下の処理を行う。すなわち、表示制御部５１３は、第１方向ＤＲ１の後端位置の第２オブジェクト７０９に続いて、第１方向ＤＲ１の先端位置の第２オブジェクト７０１から順に第１方向ＤＲ１の後端側に向けて並べて表示する。その結果、第２オブジェクト７０９と第２オブジェクト７０１とが隣接して表示され、第２オブジェクト７０１〜第２オブジェクト７０９がループ状に表示される。
【００７２】
なお、左方向は、「第１方向ＤＲ１」の一例に相当する。下方向は、「第２方向ＤＲ２」の一例に相当する。上方向は、「第３方向ＤＲ３」の一例に相当する。方向ＡＲ１及び方向ＡＲ３〜ＡＲ９は、第１方向ＤＲ１を示す。方向ＡＲ２は、第３方向ＤＲ３を示す。また、第３グループ表示領域ＧＲ３は、第２グループ表示領域ＧＲ２に対して「第１方向ＤＲ１と直交する第２方向ＤＲ２に離間した位置」の一例に相当する。また、第１グループ表示領域ＧＲ１、第２グループ表示領域ＧＲ２及び第３グループ表示領域ＧＲ３は、タッチパネル４１には表示されない。更に、本実施形態では、第１オブジェクト６０１〜６２６を識別容易にするために、第１オブジェクト６０１〜６２６に、それぞれ、「Ａ」〜「Ｚ」の文字を記載している。同様に、第２オブジェクト７０１〜７０９を識別容易にするために、第２オブジェクト７０１〜７０９に、それぞれ、「Ａ」〜「Ｉ」の文字を記載している。また、第３オブジェクト８０１〜８１７を識別容易にするために、第３オブジェクト８０１〜８１７に、それぞれ、「Ｊ」〜「Ｚ」の文字を記載している。
【００７３】
次に、図１５〜図１７を参照して、制御部５の動作を説明する。図１５〜図１７は、制御部５の動作を示すフローチャートである。まず、図１５に示すように、ステップＳ１０１において、画像読取部５１０が原稿Ｒに形成された画像を読み取る。次に、ステップＳ１０３において、表示制御部５１３が、タッチパネル４１に、複数の第１オブジェクトＢＪ１を表示する。複数の第１オブジェクトＢＪ１は、それぞれ、ステップＳ１０１で読み取られた画像に対応する。
【００７４】
次いで、ステップＳ１０５において、第１操作検出部５１１が、第１オブジェクトＢＪ１に対するスワイプ操作ＯＰＳを検出したか否かの判定を行う。第１オブジェクトＢＪ１に対するスワイプ操作ＯＰＳを検出していないと判定した場合（ステップＳ１０５でＮＯ）には、処理が待機状態になる。第１オブジェクトＢＪ１に対するスワイプ操作ＯＰＳを検出したと判定した場合（ステップＳ１０５でＹＥＳ）には、処理がステップＳ１０７に進む。
【００７５】
そして、ステップＳ１０７において、第１操作検出部５１１が、スワイプ操作ＯＰＳの方向が第１方向ＤＲ１であるか否かを判定する。スワイプ操作ＯＰＳの方向が第１方向ＤＲ１ではないと判定された場合（ステップＳ１０７でＮＯ）には、処理がステップＳ１１１に進む。スワイプ操作ＯＰＳの方向が第１方向ＤＲ１であると判定された場合（ステップＳ１０７でＹＥＳ）には、処理がステップＳ１０９に進む。そして、ステップＳ１０９において、表示制御部５１３が第１オブジェクトＢＪ１を第１方向ＤＲ１にスクロールして、タッチパネル４１に表示し、処理がステップＳ１０５に戻す。
【００７６】
ステップＳ１０７でＮＯの場合、ステップＳ１１１において、第１操作検出部５１１が、スワイプ操作ＯＰＳの方向が第３方向ＤＲ３であるか否かを判定する。スワイプ操作ＯＰＳの方向が第３方向ＤＲ３ではないと判定した場合（ステップＳ１１１でＮＯ）には、処理がステップＳ１０５戻る。スワイプ操作ＯＰＳの方向が第３方向ＤＲ３であると判定した場合（ステップＳ１１１でＹＥＳ）には、処理がステップＳ１１３に進む。そして、ステップＳ１１３において、グループ生成部５１２が、第２グループＧ２及び第３グループＧ３を生成する。具体的には、第２グループＧ２は、複数の第２オブジェクトＢＪ２から構成され、第３グループＧ３は、複数の第３オブジェクトＢＪ３から構成される。次に、ステップＳ１１５において、表示制御部５１３が、タッチパネル４１に、第２オブジェクトＢＪ２と、第３オブジェクトＢＪ３とを表示し、処理が図１６に示すステップＳ１１７に進む。
【００７７】
そして、ステップＳ１１７において、第２操作検出部５１４が、第２オブジェクトＢＪ２に対するスワイプ操作ＯＰＳを検出したか否かの判定を行う。第２オブジェクトＢＪ２に対するスワイプ操作ＯＰＳを検出していないと判定した場合（ステップＳ１１７でＮＯ）には、処理が待機状態になる。第２オブジェクトＢＪ２に対するスワイプ操作ＯＰＳを検出したと判定した場合（ステップＳ１１７でＹＥＳ）には、処理がステップＳ１１９に進む。
【００７８】
そして、ステップＳ１１９において、第２操作検出部５１４が、スワイプ操作ＯＰＳの方向が第１方向ＤＲ１であるか否かを判定する。スワイプ操作ＯＰＳの方向が第１方向ＤＲ１ではないと判定された場合（ステップＳ１１９でＮＯ）には、処理がステップＳ１１７に戻る。スワイプ操作ＯＰＳの方向が第１方向ＤＲ１であると判定された場合（ステップＳ１１９でＹＥＳ）には、処理がステップＳ１２１に進む。そして、ステップＳ１２１において、第１条件判定部５１５が、第１条件を満たすか否かを判定する。具体的には、第１条件判定部５１５が、後端の第２オブジェクトＢＪ２がタッチパネル４１に表示されているか否かを判定する。第１条件を満たさないと判定された場合（ステップＳ１２１でＮＯ）には、処理がステップＳ１２７に進む。第１条件を満たすと判定された場合（ステップＳ１２１でＹＥＳ）には、処理がステップＳ１２３に進む。そして、ステップＳ１２３において、表示制御部５１３が、第３オブジェクトＢＪ３を第１方向ＤＲ１にスクロールしてタッチパネル４１に表示する。
【００７９】
次に、ステップＳ１２５において、画像形成制御部５１９が、タッチパネル４１からのユーザーの操作に基づいて、スクロール処理を終了するか否かを判定する。「スクロール処理」とは、表示制御部５１３が、第２オブジェクトＢＪ２及び第３オブジェクトＢＪ３をスクロールしてタッチパネル４１に表示する処理を示す。スクロール処理を終了しないと判定した場合（ステップＳ１２５でＮＯ）には、処理が図１７に示すステップＳ１４１に進む。スクロール処理を終了すると判定した場合（ステップＳ１２５でＹＥＳ）には、処理がステップＳ１３１に進む。
【００８０】
ステップＳ１２１でＮＯの場合には、ステップＳ１２７において、表示制御部５１３が、第２オブジェクトＢＪ２を第１方向ＤＲ１にスクロールしてタッチパネル４１に表示する。次に、ステップＳ１２９において、画像形成制御部５１９が、タッチパネル４１からのユーザーの操作に基づいて、スクロール処理を終了するか否かを判定する。スクロール処理を終了しないと判定した場合（ステップＳ１２９でＮＯ）には、処理がステップＳ１１７に戻る。スクロール処理を終了すると判定した場合（ステップＳ１２９でＹＥＳ）には、処理がステップＳ１３１に進む。
【００８１】
そして、ステップＳ１３１において、画像形成制御部５１９がタッチパネル４１からのユーザーの操作に基づいて、印刷指示があったか否かを判定する。印刷指示がないと判定した場合（ステップＳ１３１でＮＯ）には、処理が待機状態となる。印刷指示があったと判定した場合（ステップＳ１３１でＹＥＳ）には、処理がステップＳ１３３に進む。そして、ステップＳ１３３において、画像形成制御部５１９が、タッチパネル４１からのユーザーの操作に基づいて、第２グループＧ２に含まれる画像を印刷するか否かを判定する。第２グループＧ２に含まれる画像とは、第２グループＧ２に含まれる第２オブジェクトＢＪ２に対応する画像を示す。第２グループＧ２に含まれる画像を印刷しないと判定した場合（ステップＳ１３３でＮＯ）には、処理がステップＳ１３５に進む。第２グループＧ２に含まれる画像を印刷すると判定した場合（ステップＳ１３３でＹＥＳ）には、ステップＳ１３７において、画像形成制御部５１９が、第２グループＧ２に含まれる画像を印刷し、処理が終了する。
【００８２】
ステップＳ１３３でＮＯの場合には、ステップＳ１３５において、画像形成制御部５１９が、タッチパネル４１からのユーザーの操作に基づいて第３グループＧ３に含まれる画像を印刷するか否かを判定する。第３グループＧ３に含まれる画像とは、第３グループＧ３に含まれる第３オブジェクトＢＪ３に対応する画像を示す。第３グループＧ３に含まれる画像を印刷しないと判定した場合（ステップＳ１３５でＮＯ）には、処理がステップＳ１３３に戻る。第３グループＧ３に含まれる画像を印刷すると判定した場合（ステップＳ１３５でＹＥＳ）には、ステップＳ１３９において、画像形成制御部５１９が、第３グループＧ３に含まれる画像を印刷し、処理が終了する。
【００８３】
ステップＳ１２５でＮＯの場合には、図１７に示すステップＳ１４１において、第２操作検出部５１４が、第２オブジェクトＢＪ２に対するスワイプ操作ＯＰＳを検出したか否かの判定を行う。第２オブジェクトＢＪ２に対するスワイプ操作ＯＰＳを検出していないと判定した場合（ステップＳ１４１でＮＯ）には、処理が待機状態になる。第２オブジェクトＢＪ２に対するスワイプ操作ＯＰＳを検出したと判定した場合（ステップＳ１４１でＹＥＳ）には、処理がステップＳ１４３に進む。
【００８４】
そして、ステップＳ１４３において、第２操作検出部５１４が、スワイプ操作ＯＰＳの方向が第１方向ＤＲ１であるか否かを判定する。スワイプ操作ＯＰＳの方向が第１方向ＤＲ１ではないと判定された場合（ステップＳ１４３でＮＯ）には、処理がステップＳ１４１に戻る。スワイプ操作ＯＰＳの方向が第１方向ＤＲ１であると判定された場合（ステップＳ１４３でＹＥＳ）には、処理がステップＳ１４５に進む。そして、ステップＳ１４５において、第２条件判定部５１７が、第２条件を満たすか否かを判定する。具体的には、第２条件判定部５１７が、後端の第３オブジェクトＢＪ３がタッチパネル４１に表示されているか否かを判定する。第２条件を満たさないと判定された場合（ステップＳ１４５でＮＯ）には、処理がステップＳ１５１に進む。第２条件を満たすと判定された場合（ステップＳ１４５でＹＥＳ）には、処理がステップＳ１４７に進む。そして、ステップＳ１４７において、表示制御部５１３が、第２オブジェクトＢＪ２を第１方向ＤＲ１にスクロールしてタッチパネル４１に表示する。
【００８５】
次に、ステップＳ１４９において、画像形成制御部５１９が、タッチパネル４１からのユーザーの操作に基づいて、スクロール処理を終了するか否かを判定する。スクロール処理を終了しないと判定した場合（ステップＳ１４９でＮＯ）には、処理が図１６に示すステップＳ１１７に戻る。スクロール処理を終了すると判定した場合（ステップＳ１４９でＹＥＳ）には、処理が図１６に示すステップＳ１３１に進む。
【００８６】
ステップＳ１４５でＮＯの場合には、ステップＳ１５１において、表示制御部５１３が、第３オブジェクトＢＪ３を第１方向ＤＲ１にスクロールしてタッチパネル４１に表示する。そして、ステップＳ１５３において、画像形成制御部５１９が、タッチパネル４１からのユーザーの操作に基づいて、スクロール処理を終了するか否かを判定する。スクロール処理を終了しないと判定した場合（ステップＳ１５３でＮＯ）には、処理がステップＳ１４１に戻る。スクロール処理を終了すると判定した場合（ステップＳ１５３でＹＥＳ）には、処理が図１６に示すステップＳ１３１に進む。
【００８７】
以上、図２〜図１７を参照して説明したように、第１操作検出部５１１は、隣接する２つの第１オブジェクトＢＪ１に対する第１操作ＯＰ１を検出する。グループ生成部５１２は、隣接する２つの第１オブジェクトＢＪ１の間で第１グループＧ１を、第２グループＧ２と第３グループＧ３とに分割して、第２グループＧ２及び第３グループＧ３を生成する。よって、第１グループＧ１を２つに分割して、第２グループＧ２及び第３グループＧ３を生成することができる。したがって、タッチパネル４１に表示された複数の第１オブジェクトＢＪ１を、第２グループＧ２を構成する第２オブジェクトＢＪ２と、第３グループＧ３を構成する第３オブジェクトＢＪ３とに分割することができる。その結果、タッチパネル４１に表示された第１オブジェクトＢＪ１の操作性を向上できる。
【００８８】
また、表示制御部５１３は、タッチパネル４１に、複数の第２オブジェクトＢＪ２を第１方向ＤＲ１に並べて表示する。更に、表示制御部５１３は、複数の第３オブジェクトＢＪ３を、第２オブジェクトＢＪ２に対して第１方向ＤＲ１と交差する第２方向ＤＲ２に離間した位置に第１方向ＤＲ１に並べて表示する。よって、第２オブジェクトＢＪ２及び第３オブジェクトＢＪ３を見易く表示することができる。また、表示制御部５１３は、複数の第２オブジェクトＢＪ２と複数の第３オブジェクトＢＪ３との各々を、第１方向ＤＲ１にスクロール可能に表示する。よって、タッチパネル４１に表示された第２オブジェクトＢＪ２及び第３オブジェクトＢＪ３の操作性を向上できる。
【００８９】
更に、第１条件判定部５１５が第１条件を満たすと判定したときに、第２操作検出部５１４が第２操作ＯＰ２を検出することに応答して、表示制御部５１３は、第３オブジェクトＢＪ３を第１方向ＤＲ１にスクロールしてタッチパネル４１に表示する。よって、ユーザーは、第２オブジェクトＢＪ２に対する第２操作ＯＰ２を行うことによって、第２オブジェクトＢＪ２に加えて、第３オブジェクトＢＪ３をスクロールしてタッチパネル４１に表示できる。したがって、タッチパネル４１に表示された第２オブジェクト及び第３オブジェクトＢＪ３の操作性を更に向上できる。
【００９０】
加えて、第２条件判定部５１７が第２条件を満たすと判定したときに、表示制御部５１３は、第１方向ＤＲ１の先端の第２オブジェクトＢＪ２をタッチパネル４１の第１方向ＤＲ１の先端位置に表示する。よって、第２オブジェクトＢＪ２を初期表示位置に戻すことができる。したがって、タッチパネル４１に表示された第２オブジェクトＢＪ２の操作性を更に向上できる。
【００９１】
また、第３条件判定部５１８が第３条件を満たすと判定したときに、表示制御部５１３は、複数の第２オブジェクトＢＪ２をループさせて表示する。よって、ユーザーは第２操作ＯＰ２を行うことによって、第２オブジェクトＢＪ２を繰り返し確認することができる。したがって、タッチパネル４１に表示された第２オブジェクトＢＪ２の視認性及び操作性を向上できる。
【００９２】
更に、複数の第１オブジェクトＢＪ１は、画像読取部５１０によって読み取られた複数の画像に対応する。よって、画像読取部５１０によって読み取られた複数の画像から、印刷を所望する画像を第２オブジェクトＢＪ２とすることができる。したがって、所望する画像を容易に記録用紙Ｐに形成することができる。
【００９３】
加えて、第２方向ＤＲ２が第１方向ＤＲ１と直交する方向を示す。よって、第２オブジェクトＢＪ２及び第３オブジェクトＢＪ３を見易く表示することができる。
【００９４】
また、第１方向ＤＲ１が左方向であるため、タッチパネル４１が横長に配置されている場合に、多数の第２オブジェクトＢＪ２及び第３オブジェクトＢＪ３を表示することができる。また、第２オブジェクトＢＪ２が第１方向ＤＲ１に並べて表示されているため、第２オブジェクトＢＪ２に対して第２操作ＯＰ２を行い易い。同様に、第３オブジェクトＢＪ３に対して、第３操作ＯＰ３を行い易い。よって、タッチパネル４１に表示された第２オブジェクトＢＪ２及び第３オブジェクトＢＪ３の操作性を更に向上することができる。
【００９５】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（１２））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００９６】
（１）図１を参照して表示制御装置が画像形成装置１００である形態について説明したが、これに限定されない。表示制御装置がタッチパネルを備えた装置であればよい。例えば、表示制御装置が、スマートフォン、又は、タブレット型コンピューターである形態でもよい。また、表示制御装置が、ＣＤプレイヤー、ＤＶＤプレイヤー、及び、各種家電機器のような装置である形態でもよい。
【００９７】
（２）図２を参照して、第１オブジェクトＢＪ１が、画像読取部５１０が読み取った画像に対応する形態について説明したが、これに限定されない。例えば、第１オブジェクトＢＪ１が、複数ページを有するテキストファイルの各ページに対応する形態でもよい。また、例えば、第１オブジェクトＢＪ１が、ファイル（又は、アイコン）に対応する形態でもよい。また、第１オブジェクトＢＪ１が、ＵＳＢ（Ｕｎｉｖｅｒｓａｌ  Ｓｅｒｉａｌ  Ｂｕｓ）メモリーのような外部メモリーに保存されている画像データ又はテキストファイルに対応する形態でもよい。
【００９８】
（３）図４を参照して、第１操作ＯＰ１が上方向のスワイプ操作ＯＰＳである形態について説明したが、これに限定されない。例えば、第１操作ＯＰ１が下方向のスワイプ操作ＯＰＳである形態でもよい。また、例えば、第１操作ＯＰ１が、上下方向のピンチアウト操作である形態でもよい。
【００９９】
（４）図４を参照して、第１操作ＯＰ１を隣接する２つの第１オブジェクトＢＪ１の間で行う形態について説明したが、これに限定されない。例えば、第１操作ＯＰ１が、隣接する２つの第１オブジェクトＢＪ１のうち、少なくとも一方を通過する形態でもよい。具体的には、第１操作ＯＰ１が、隣接する２つの第１オブジェクトＢＪ１を通過するスワイプ操作ＯＰＳを示す形態でもよい。この形態では、グループ生成部５１２は、隣接する２つの第１オブジェクトＢＪ１の間で第１グループＧ１を、第２グループＧ２と第３グループＧ３とに分割すればよい。
【０１００】
また、例えば、第１操作ＯＰ１が、複数の第１オブジェクトＢＪ１のうち、１つの第１オブジェクトＢＪ１を通過するスワイプ操作ＯＰＳを示す形態でもよい。この形態では、第１操作ＯＰ１が行われた第１方向ＤＲ１の位置に基づいて、隣接する２つの第１オブジェクトＢＪ１を決定すればよい。例えば、２つの隣接する第１オブジェクトＢＪ１の間隙のうち、スワイプ操作ＯＰＳが行われた位置から最も近い間隙を選択する。そして、グループ生成部５１２は、選択された間隙の位置で、第１グループＧ１を、第２グループＧ２と第３グループＧ３とに分割すればよい。
【０１０１】
（５）図５を参照して、第１方向ＤＲ１が左方向であり、第２方向ＤＲ２が下方向である形態について説明したが、これに限定されない。例えば、第１方向ＤＲ１が左方向であり、第２方向ＤＲ２が上方向である形態でもよい。また、例えば、第１方向ＤＲ１が上方向であり、第２方向ＤＲ２が右方向である形態でもよい。
【０１０２】
（６）図４、図５を参照して、第１グループＧ１を第２グループＧ２と第３グループＧ３とに分割する形態について説明した。第２グループＧ２及び第３グループＧ３を併合して第１グループＧ１に戻す構成を更に備える形態でもよい。例えば、ユーザーが、タッチパネル４１を介して、第２オブジェクトＢＪ２の少なくとも一部と第３オブジェクトＢＪ３の少なくとも一部とを下方向に通過するスワイプ操作ＯＰＳを行った場合に、第２グループＧ２及び第３グループＧ３を併合して第１グループＧ１に戻す形態でもよい。また、例えば、タッチパネル４１に分割解除ボタンを表示し、分割解除ボタンがタッチされた場合に、第２グループＧ２及び第３グループＧ３を併合して第１グループＧ１に戻す形態でもよい。
【０１０３】
（７）図５を参照して、第２操作ＯＰ２が第１方向ＤＲ１のスワイプ操作ＯＰＳである形態について説明したが、これに限定されない。例えば、第２操作ＯＰ２が第１方向ＤＲ１のフリック操作又は第１方向ＤＲ１のスライド操作である形態でもよい。
【０１０４】
（８）図５を参照して、グループ生成部５１２が２つのグループを生成する形態について説明したが、これに限定されない。例えば、グループ生成部５１２が３つ以上のグループを生成する形態でもよい。例えば、グループ生成部５１２が３つのグループを生成する形態では、表示制御部５１３は、上下方向に３段にオブジェクトを表示する。
【０１０５】
（９）図５〜図８を参照して、第２操作ＯＰ２によって、第２オブジェクトＢＪ２及び第３オブジェクトＢＪ３をスクロールする形態について説明したが、これに限定されない。例えば、第３操作ＯＰ３によって、第２オブジェクトＢＪ２及び第３オブジェクトＢＪ３をスクロールする形態でもよい。この形態では、右端の第３オブジェクト８１７がタッチパネル４１の右端位置に表示されたときに、第３操作ＯＰ３に応答して、第２オブジェクトＢＪ２をスクロールすることが好ましい。
【０１０６】
（１０）図５〜図８を参照して、第２操作ＯＰ２によって第２オブジェクトＢＪ２及び第３オブジェクトＢＪ３を左方向にスクロールする形態について説明したが、これに限定されない。例えば、第２操作ＯＰ２によって第２オブジェクトＢＪ２及び第３オブジェクトＢＪ３を右方向にスクロールする形態でもよい。また、例えば、第２操作ＯＰ２によって第２オブジェクトＢＪ２を右方向及び左方向にスクロールし、第３オブジェクトＢＪ３を右方向及び左方向にスクロールする形態でもよい。
【０１０７】
（１１）図１０を参照して、第３操作ＯＰ３が第１方向ＤＲ１のスワイプ操作ＯＰＳである形態について説明したが、これに限定されない。例えば、第３操作ＯＰ３が第１方向ＤＲ１のフリック操作又は第１方向ＤＲ１のスライド操作である形態でもよい。
【０１０８】
（１２）図１６を参照して、第２グループＧ２に含まれる画像又は第３グループＧ３に含まれる画像を印刷する形態について説明したが、これに限定されない。例えば、第２グループＧ２に含まれる画像のうち、ユーザーが、タッチパネル４１を介して、選択した画像を印刷する形態でもよい。例えば、ユーザーは、タッチパネル４１に表示された第２オブジェクトＢＪ２をタッチすることによって画像を選択する。また、選択された画像に対応する第２オブジェクトＢＪ２には、チェックマークが表示される。
【産業上の利用可能性】
【０１０９】
本発明は、タッチパネルを備える表示制御装置、表示制御方法、及び、画像形成装置に利用可能である。
【符号の説明】
【０１１０】
１００    画像形成装置（表示制御装置）
１    画像形成ユニット（画像形成部の一部）
２    画像読取ユニット
３    原稿搬送ユニット
４    操作パネル
４１    タッチパネル
５    制御部
５１０    画像読取部
５１１    第１操作検出部
５１２    グループ生成部
５１３    表示制御部
５１４    第２操作検出部
５１５    第１条件判定部
５１６    第３操作検出部
５１７    第２条件判定部
５１８    第３条件判定部
５１９    画像形成制御部（画像形成部の一部）
５２    画像記憶部
【図１】
0006414027.tif 000002
【図２】
0006414027.tif 000003
【図３】
0006414027.tif 000004
【図４】
0006414027.tif 000005
【図５】
0006414027.tif 000006
【図６】
0006414027.tif 000007
【図７】
0006414027.tif 000008
【図８】
0006414027.tif 000009
【図９】
0006414027.tif 000010
【図１０】
0006414027.tif 000011
【図１１】
0006414027.tif 000012
【図１２】
0006414027.tif 000013
【図１３】
0006414027.tif 000014
【図１４】
0006414027.tif 000015
【図１５】
0006414027.tif 000016
【図１６】
0006414027.tif 000017
【図１７】
0006414027.tif 000018